(57)【要約】      （修正有）【課題】ステージと床面の間の段差を安全かつ容易に水平移動して重量物を据え付けることができる運搬据付装置を提供する。【解決手段】運搬据付装置１０は、建屋２の床面を水平移動可能な第１エアパレット２０と、建屋２に据え付ける構造物１１を建屋２の床面よりも上方のステージ１上で載置可能とし、ステージ１から第１エアパレット２０へ水平移動可能な第２エアパレット３０と、建屋２の据付箇所で構造物１１を吊上げて据え付ける架台４０と、を備える。【選択図】図１
0003214431.tif 000002
【実用新案登録請求の範囲】
【請求項１】
建屋の床面を水平移動可能な第１エアパレットと、
前記建屋に据え付ける構造物を前記建屋の床面よりも上方のステージ上で載置可能とし、前記ステージから前記第１エアパレットへ水平移動可能な第２エアパレットと、
前記建屋の据付箇所で前記構造物を吊上げて据え付ける架台と、
を備えたことを特徴とする運搬据付装置。
【請求項２】
前記第２エアパレットは、前記第１エアパレットの幅、長さ共に同等以下に形成していることを特徴とする請求項１に記載の運搬据付装置。
【請求項３】
前記架台は、前記構造物を吊上げ又は／及び回転させる吊上げ部と、上部に前記吊上げ部が進退移動するモノレールを備え、
前記モノレールは一端を前記架台から突出させていることを特徴とする請求項１又は２に記載の運搬据付装置。
【請求項４】
前記架台は、前記構造物の据付箇所に移動可能な第３エアパレットを備え、平面視で前記第１エアパレットよりも寸法、長さ共に大きく形成して、前記第１エアパレットを側面から受け入れ可能な開口を備えたことを特徴とする請求項１ないし３のいずれか１に記載の運搬据付装置。
【請求項５】
前記架台は、柱の高さ寸法を調整可能な高さ調整部を備えたことを特徴とする請求項１ないし４のいずれか１に記載の運搬据付装置。
【請求項６】
前記架台は、フレーム間に１つ以上の筐体ユニット取り付けて高さ寸法を変更可能な高さ調整部を備えたことを特徴とする請求項１ないし４のいずれか１に記載の運搬据付装置。
【請求項７】
前記第１ないし第３のエアパレットへ加圧空気を供給する空気供給源を前記ステージ上又は前記建屋外に設けて、
前記空気供給源は、前記第１ないし第３エアパレットと接続配管を介して接続していることを特徴とする請求項４、又は請求項４に従属する請求項５又は６のいずれか１に記載の運搬据付装置。
【考案の詳細な説明】
【技術分野】
【０００１】
本考案は構造物（以下、重量物ともいう）を屋外から建屋内に搬入して所定箇所に据え付ける運搬据付装置に関する。
【背景技術】
【０００２】
新設工場に貯蔵タンクなどの重量物を搬入して所定箇所に据え付ける作業がある。この際、工場内で重量物を移動させる手段として台車を用いている。
台車の場合、キャスター（車輪）が床面を傷付けるおそれがあり、仮に床面に保護シートを敷いて保護したとしても、キャスターが床面とシートを介して接触しているため、完全に保護することは難しい。
また台車は旋回可能なキャスターを取り付けてあり任意の方向へ移動させることができるが、重量物を乗せた場合、作業者の操縦通りに旋回することが難しく、荷下ろしする据付箇所の位置合わせの際の微調整が極めて難しい。
【０００３】
そこで床面と非接触式のエアパレットが利用されている。エアパレットは矩形フレームで支持したダイアフラムに加圧空気を供給することにより、床面から数センチ浮上して移動させることができる。このため床面を傷つけるおそれがない（例えば特許文献１に開示）。
ところで、重量物を外部から建屋の搬入口へ移動させる手段としてクレーンなどの重機がある。この場合、建屋の搬入口で重量物を一時的に仮置きするステージ（搬入架台）が必要となる。
【０００４】
図９は建屋の搬入口とステージの説明図である。
同図（Ａ）は足場タイプのステージの側面図である。クレーンで吊上げた構造物１１を仮置きするステージ１は建屋２の外部に設置した足場３上に、搬入口側の端部を建屋２の床面上に載せて取り付けている。このような構成を採用することにより、ステージ１と建屋２の床面の間に隙間（開口部）をなくすことができ、開口部から物が落下するのを防止できるため安全性が向上する。さらに、ステージ１を支える足場３（建物側）の負荷を軽減すると共に、足場３（建物側）に必要な足場材料を少なくできる。このため、短時間で足場３の組立又は撤去作業を行うことができる。
【０００５】
同図（Ｂ）はクレーン吊タイプのステージの側面図である。このステージ１は（Ａ）と同様に、クレーン４で吊り下したステージ１の建屋２側の端部を建屋２の床面上に載せる構成で吊っている。これにより構造物１１を載せたステージ１が移動することなく床面に固定した状態で構造物１１を建屋内に搬入できる。
このようにいずれも重量物１１を載せたステージ１と建屋２の床面の間には、ステージ１の厚みに相当する段差が生じている。
【先行技術文献】
【特許文献】
【０００６】
【特許文献１】特開２００３−２３７９１８号公報
【考案の概要】
【考案が解決しようとする課題】
【０００７】
一般にエアパレットは平面上を移動可能とし、段差、斜面を移動することを想定していない。特に重量物を乗せている場合には、作業の安全性を確保するため水平移動が望ましい。
このため、このような段差が生じた箇所では、従来、重量物の移動手段にエアパレットを適用することができなかった。
【０００８】
また重量物は、搬送中の安定性を考慮したとき、縦向きよりも横向きの方が重心を低くでき作業者の安全性を確保できる場合がある。このため据付箇所では架台を設置して、架台に備え付けのチェーンブロック等を用いて重量物を回転させて据え付けていた。このとき、従来の架台は移動させることができず、据付箇所ごとに架台を分解して移動させた後、組立作業を行っており、時間及び労力を要していた。
【０００９】
上記従来技術の問題点に鑑み、本考案はステージと床面の間の段差を安全かつ容易に水平移動して重量物を据え付けることができる運搬据付装置を提供することにある。
【課題を解決するための手段】
【００１０】
上記課題を解決するための第１の手段として、本考案は、建屋の床面を水平移動可能な第１エアパレットと、
前記建屋に据え付ける構造物を前記建屋の床面よりも上方のステージ上で載置可能とし、前記ステージから前記第１エアパレットへ水平移動可能な第２エアパレットと、
前記構造物の据付箇所で前記構造物を吊上げて据え付ける架台と、
を備えたことを特徴とする運搬据付装置を提供することにある。
上記第１の手段によれば、建屋の搬入口で重量物を仮置きするステージと床面の間に段差があっても、重量物を容易に水平移動させることができる。
また第１エアパレット上に重量物を安定して固定でき、水平移動中に荷崩れを起こすおそれがない。
【００１１】
上記課題を解決するための第２の手段として、本考案は、前記第１の手段において、前記第２エアパレットは、前記第１エアパレットの幅、長さ共に同等以下に形成していることを特徴とする運搬据付装置を提供することにある。
上記第２の手段によれば、第１エアパレット上に容易に移動可能とし、第１及び第２エアパレット上の構造物を安定して移動させることができる。
【００１２】
上記課題を解決するための第３の手段として、本考案は、前記第１又は第２に記載の手段において、前記架台は、前記構造物を吊上げ又は／及び回転させる吊上げ部と、上部に前記吊上げ部が進退移動するモノレールを備え、
前記モノレールは一端を前記架台から突出させていることを特徴とする運搬据付装置を提供することにある。
上記第３の手段によれば、構造物の回転作業において、構造物と吊上げ部のチェーンが接触することがない。従って構造物を傷つけるおそれがない。
【００１３】
上記課題を解決するための第４の手段として、本考案は、前記第１ないし第３のいずれか１の手段において、前記架台は、前記構造物の据付箇所に移動可能な第３エアパレットを備え、平面視で前記第１エアパレットよりも寸法、長さ共に大きく形成して、前記第１エアパレットを側面から受け入れ可能な開口を備えたことを特徴とする運搬据付装置を提供することにある。
上記第４の手段によれば、架台を据付箇所毎に移動させることができる。従って、据付箇所毎に架台の解体及び組立作業が必要なく、据付作業を短時間で容易に行うことができる。また第１及び第２エアパレット上の構造物を容易に吊上げることができる。
【００１４】
上記課題を解決するための第５の手段として、本考案は、前記第１ないし第４のいずれか１の手段において、前記架台は、柱の高さ寸法を調整可能な高さ調整部を備えたことを特徴とする運搬据付装置を提供することにある。
上記第５の手段によれば、構造物又は据付箇所の高さ寸法に合わせて架台の高さ寸法を容易に調整することができる。このため、建屋内の高さ寸法を最大限に利用して構造物の吊上げ又は回転作業を効率的に行うことができる。
【００１５】
上記課題を解決するための第６の手段として、本考案は、前記第１ないし第４のいずれか１の手段において、前記架台は、フレーム間に１つ以上の筐体ユニット取り付けて高さ寸法を変更可能な高さ調整部を備えたことを特徴とする運搬据付装置を提供することにある。
上記第６の手段によれば、例えば、タンクの上に配管ユニットを載置するなど構造物が２倍の高さに延長となる場合、筐体ユニットを積み上げた数に比例して第５の手段よりも大幅に高さ寸法を容易に調整できる。
【００１６】
上記課題を解決するための第７の手段として、本考案は、前記第４、又は第４に従属する第５又は第６のいずれか１の手段において、前記第１ないし第３エアパレットへ加圧空気を供給する空気供給源を前記ステージ上又は前記建屋外に設けて、
前記空気供給源は、前記第１ないし第３エアパレットと接続配管を介して接続していることを特徴とする運搬据付装置を提供することにある。
上記第７の手段によれば、空気供給源から発生する加圧空気に混入するオイルによる建屋内の汚染を防止できる。
また複数のエアパレットの空気供給源を一元化して、建屋内の接続配管の配置を整列でき、かつ作業効率を高めることができる。
【考案の効果】
【００１７】
本考案によれば、建屋の搬入口で重量物を仮置きするステージと床面の間に段差があっても、重量物を容易に水平移動させることができる。
また架台を据付箇所毎に移動させることができるので、据付箇所毎に架台の解体及び組立作業が必要なく、据付作業を短時間で容易に行うことができる。
【図面の簡単な説明】
【００１８】
【図１】本考案の運搬据付装置の構成概略図である。
【図２】第１パレットの説明図である。
【図３】第２パレットの説明図である。
【図４】架台の説明図である。
【図５】建屋の据付箇所の平面図である。
【図６】構造物の据付作業の工程図１である。
【図７】構造物の据付作業の工程図２である。
【図８】架台の変形例の説明図である。
【図９】建屋の搬入口とステージの説明図である。
【考案を実施するための形態】
【００１９】
本考案の運搬据付装置の実施形態を添付の図面を参照しながら、以下詳細に説明する。
【００２０】
［運搬据付装置１０］
図１は本考案の運搬据付装置の構成概略図である。本考案の運搬据付装置１０は、建屋２の床面を水平移動可能な第１エアパレット２０と、建屋２に据え付ける構造物１１を建屋２の床面よりも上方のステージ１上で載置可能とし、ステージ１から第１エアパレット２０へ水平移動可能な第２エアパレット３０と、建屋２の据付箇所（据付基礎）で構造物１１を吊上げて据え付ける架台４０と、を主な基本構成としている。なおステージ１は、足場３上に設置する他、建屋２の上層階への搬入の場合、前述のようにクレーンで吊り下げて建屋２の搬入口へ搬入することもある。
【００２１】
＜第１エアパレット２０＞
図２は第１エアパレットの説明図であり、（Ａ）は平面図、（Ｂ）は（Ａ）のＡ−Ａ矢視図である。
図示のように第１エアパレット２０は、上面に後述する第２エアパレット３０が載荷される平面視でほぼ矩形のフレーム２２内に複数のダイアフラム２４（本実施形態では４個）を取り付けている。ダイアフラム２４は、建屋外に設置したエアコンプレッサなどの空気供給源（後述する図５参照）から加圧空気が供給される配管が接続している。ダイアフラム２４の材質は、加圧空気により膨張するゴム製である。そしてダイアフラム２４は下面に加圧空気を吹き出すための複数の空気吹出し孔２４１を有している。また、フレーム２２の下面には脚部２６を設けている。脚部２６はダイアフラム２４への加圧空気の供給を停止してフレーム２２が床面と接触する箇所となる他、フレーム２２の下面を補強する部材である。
【００２２】
またフレーム２２の外周には、吊金具２８を取り付けている。吊金具２８は、構造物１１をパレット上に固定するときに用いるワイヤを通したり、クレーンの吊りフックに吊下げるときのワイヤを通したりする金具である。
このような構成の第１エアパレット２０は、空気供給源から供給された加圧空気によってダイアフラム２４が膨張して、フレーム２２が持ち上がる。このときダイアフラム２４と床面との間には空気吹出し孔２４１から吹出される空気流によって摩擦係数が小さくなり、重量物を容易に運搬することができる。
【００２３】
＜第２エアパレット３０＞
図３は第２エアパレットの説明図であり、（Ａ）は平面図、（Ｂ）は（Ａ）のＢ−Ｂ矢視図である
第２エアパレット３０は、第１エアパレット２０と基本構成は同一であり、フレーム３２に、４つのダイアフラム３４を取り付けて、下面に脚部３６、外周に吊金具３８を設けている。
本考案の第２パレット３０はステージ１から第１パレット２０上に水平移動させている。このため第２エアパレット３０は、第１エアパレット２０の大きさ（幅、長さ共に）と同等以下に設定している。これにより第１エアパレット２０上に容易に移動可能とし、第１及び第２エアパレット２０，３０上の構造物１１を安定して移動させることができる。
【００２４】
＜架台４０＞
図４は架台の説明図であり、（Ａ）は側面図、（Ｂ）は正面図（開口側）である。
架台４０は、平面視で第１エアパレット２０よりも大きいほぼ直方体のフレーム４２を備えている。フレーム４２の一側面に開口４４を有している。架台４０はこの開口４４から第１エアパレット２０（上面に第２エアパレット３０及び構造物を載置した状態）を出し入れ可能としている。
【００２５】
架台４０の上部には２本のモノレール４６を設け、いずれか一端（図４では開口４４側）を架台４０から突出させている。モノレール４６の突出先端側には吊金具４８を設けチェーンブロック５０を取り付け、フレーム４２側には複数（図４では各モノレール４６に２台）の移動式チェーンブロック５２を取り付けている。このチェーンブロック５０及び移動式チェーンブロック５２は、構造物１１の吊上げ部であり、架台４０内で構造物１１の吊上げ又は回転作業を行うことができる。
【００２６】
またフレーム４２は高さ寸法を任意に調整可能な高さ調整部５４を設けている。図４に示す具体的な高さ調整部５４の構成は、各柱５４１を上下方向に伸縮可能なテレスコピック構造（図４では２段式）を採用し、一部の柱５４１にターンバックルを備えたサポート５６ａを取り付けている。サポート５６ａは一端をフレーム４２の下部梁に軸支させて、他端を柱５４１の上部に軸支させている。そして、ターンバックルの本体を回転させてサポート５６ａを任意の長さに調整することにより、柱５４１の高さ寸法も調整できる。
【００２７】
フレーム４２の四隅の柱５４１の下部には第３エアパレット５６を設けている。第３エアパレット５６はほぼ矩形のフレームにダイアフラムを備え、外部の空気供給源（後述する図５参照）と接続して加圧空気を給排気することにより床面から浮上して、架台４０を容易に移動させることができる。
なお建屋２に備え付けの天井クレーン等がある場合には、架台に替えて据付箇所において構造物の吊上げ作業に用いても良い。
【００２８】
［作用］
上記構成による本考案の運搬据付装置の作用について、以下説明する。
図５は建屋の据付箇所の平面図である。
同図は建屋２のワンフロアーの平面図であり、外部から構造物１１を建屋内に搬入可能な搬入口５と、床面には複数の据付箇所６が設けられている。搬入口５にはステージ１を配置している。ステージ１の近傍（ステージ１上又は建屋２外）には第１エアパレット２０を配置し、ステージ１上には第２エアパレット３０を配置している。据付箇所には架台４０を配置している。またステージ１近傍には加圧空気の空気供給源６０を取り付け、架台４０の第３エアパレット５６、第１及び第２エアパレット２０，３０と配管６２（接続配管６４を含む）を介して接続し、加圧空気を供給可能としている。本考案の空気供給源は一元化しているため、建屋内の接続配管の配置を整列でき、かつ作業効率を高めることができる。
【００２９】
図６は構造物の据付作業の工程図１である。
図６（Ａ）に示すように、ステージ１上に配置した第２エアパレット３０上に構造物１１を配置する。このとき加圧空気を供給していない第２エアパレット３０は脚部３６がステージ１の上面に接触して、台車のキャスターのように移動することがなく、安定して構造物１１を載せることができる。
【００３０】
図６（Ｂ）に示すように、構造物１１を載荷した第２エアパレット３０に加圧空気を供給して浮上させた後、加圧空気が供給されていない状態でステージ１とほぼ同一平面上になるように構成された第１エアパレット２０へ移動させる。これによりステージ１と建屋２の床面との間に段差が生じていても容易に構造物１１を建屋２内に搬入することができる。
【００３１】
図６（Ｃ）に示すように、第２エアパレット３０への加圧空気を停止して第１エアパレット２０上面に第２エアパレット３０の脚部３６を接触させて固定させる。これにより、第１エアパレット２０の搬送中に第２エアパレット３０が移動して荷崩れを起こすことを確実に防止できる。次に第１エアパレット２０に加圧空気を供給して浮上させた後、建屋２の据付箇所６へ移動させる。
【００３２】
図７は構造物の据付作業の工程図２である。
図７（Ａ）に示すように、据付箇所６の手前に配置した架台４０まで第１エアパレット２０を移動させる。そして、架台４０の開口から内部へ第１エアパレット２０を移動させる。構造物１１は移動中の安定性を考慮して横向きの状態であるため、架台４０の吊上げ部を用いて縦向きに回転させる。移動式チェーンブロック５２の吊フックを構造物１１の上面側に連結し、チェーンブロック５０を構造物１１の吊りフックの下部（脚部）に連結する。
【００３３】
図７（Ｂ）に示すように、吊上げ部により構造物１１の吊上げ動作を行い、ついで横向きから縦向きへ回転動作させる。このとき、チェーンブロック５０は、モノレールの一端を架台から突出させたモノレールの端部に固定しているため、構造物１１の回転作業において、構造物１１とチェーンブロック５０のチェーンが接触することがない。従って構造物を傷つけるおそれがない。
【００３４】
図７（Ｃ）に示すように、架台の第３エアパレット５６に加圧空気を供給して浮上させた後、架台４０を据付箇所６まで移動させる。そして第３エアパレット５６の加圧空気を排気して架台４０を床面に固定した後、吊上げ部により構造物１１を据付箇所６に据え付ける作業を行う。
構造物１１の据付後、建屋２の他の据付箇所６へ架台４０を移動させて、図６（Ａ）以降と同様の作業を繰り返し行う。
【００３５】
このような本考案の運搬据付装置によれば、建屋の搬入口で重量物を仮置きするステージと床面の間に段差があっても、重量物を容易に水平移動させることができる。また架台を据付箇所毎に移動させることができるので、架台の解体及び組立作業が必要なく、据付作業を短時間で容易に行うことができる。
【００３６】
［架台の変形例］
図８は架台の変形例の説明図であり、（Ａ）は側面図、（Ｂ）は正面図（開口側）である。
変形例の課題４０Ａは、高さ調整部５４Ａの構成が図４に示す架台４０と異なり、その他の構成については同様であるため詳細な説明を省略する。
【００３７】
架台４０Ａは、平面視で第１エアパレット２０よりも大きいほぼ直方体のフレーム４２Ａを備えている。フレーム４２Ａの一側面に開口４４Ａを有している。フレーム４２Ａは、上部にモノレール４６Ａ及び吊上げ部を取り付け、下部に第３エアパレット５６Ａを取り付けている。フレーム４２Ａの上下間に、高さ調整部５４Ａとなる筐体ユニット５４２，５４３を取り付けている。筐体ユニット５４２，５４３は平面視でコ字型に形成し側面にトラス構造を採用して補強している。このような筐体ユニット５４２，５４３は、着脱可能な締結ボルトを用いて上下方向に連結することができ、建屋内の高さ寸法に応じて、任意に連結することができる（図８に示す筐体ユニットは２台連結）。
このような構成の架台４０Ａは、構造物又は建屋内の高さ寸法に合わせて架台の高さ寸法を容易に調整することができる。このため、建屋内の高さ寸法を最大限に利用して、構造物の吊上げ又は回転作業を効率的に行うことができる。
また例えば、タンクの上に配管ユニットを載置するなど構造物が２倍の高さに延長となる場合、筐体ユニットを積み上げた数に比例して第５の手段よりも大幅に高さ寸法を容易に調整できる。
【符号の説明】
【００３８】
１………ステージ、２………建屋、３………足場、４………クレーン、５………搬入口、６………据付箇所、１０………運搬据付装置、１１………構造物、２０………第１エアパレット、２２………フレーム、２４………ダイアフラム、２４１………吹き出し孔、２６………脚部、２８………吊金具、３０………第２エアパレット、３２………フレーム、３４………ダイアフラム、３６………脚部、３８………吊金具、４０，４０Ａ………架台、４２………フレーム、４４………開口、４６………モノレール、４８………吊金具、５０………チェーンブロック、５２………移動式チェーンブロック、５４，５４Ａ………高さ調整部、５６………第３エアパレット、５６ａ………サポート、６０………空気供給源、６２………配管、６４………接続配管。
【図１】
0003214431.tif 000003
【図２】
0003214431.tif 000004
【図３】
0003214431.tif 000005
【図４】
0003214431.tif 000006
【図５】
0003214431.tif 000007
【図６】
0003214431.tif 000008
【図７】
0003214431.tif 000009
【図８】
0003214431.tif 000010
【図９】
0003214431.tif 000011